(57)【要約】【課題】平型のプラグ（第１のコネクタ）側にケーブルも含めた変換ジャック（第２のコネクタ）を収納する構造としたことにより、不使用時においては一つのグッズとして取り扱うことが可能で、又、変換ジャック自体を平型のプラグ側に収納する構造としたことでコンパクト化を図った変換ケーブルを提供する。【解決手段】変換ケーブルは、一方側が第１のコネクタで、他方側が第２のコネクタで構成され、互いにケーブルで接続されている変換ケーブルであって、前記第１のコネクタ側に、前記第２のコネクタと前記ケーブルとを引き出し自在に収納するコネクタ収納手段を備えたことである。【選択図】  図１
2008287915.tif 000002
【特許請求の範囲】
【請求項１】
一方側が第１のコネクタで、他方側が第２のコネクタで構成され、互いにケーブルで接続されている変換ケーブルであって、
前記第１のコネクタ側に、前記第２のコネクタと前記ケーブルとを引き出し自在に収納するコネクタ収納手段を備えたことを特徴とする変換ケーブル。
【請求項２】
前記引き出し自在に収納されている前記ケーブルは、撓ませた状態で収納されていることを特徴とする請求項１に記載の変換ケーブル。
【発明の詳細な説明】
【技術分野】
【０００１】
本発明は、変換ケーブルに関し、詳しくは変換ケーブルを構成する変換ジャック（第２のコネクタ）とケーブルを平型のプラグ（第１のコネクタ）側に収納する構造にしてコンパクトな形状にすると共に使用勝手を向上させた変換ケーブルに関する。
【背景技術】
【０００２】
従来技術における変換ケーブルを利用する場合には、図６に示すように、携帯電話機、ＭＤプレーヤ、ＣＤプレーヤ、ＭＰ３プレーヤ等のポータブルオーディオ装置１１１に取付けられているジャックが平型ジャック１１２であり、イヤホンに取付けられているプラグがいわゆる丸型のプラグであるときには、直接にポータブルオーディオ装置１１１に装着することができない。そのため、ポータブルオーディオ装置１１１の平型ジャック１１２に対応した平型プラグを備えた変換ケーブル１１３を利用することで丸型のプラグを有するイヤホンであっても使用することが可能となる。
【０００３】
変換ケーブル１１３は、図７に示すように、一方側が平型プラグ１１５（第１のコネクタ）で形成され、ケーブル１１９で接続された他方側が丸型の変換ジャック１１４（第２のコネクタ）で形成されている。
【０００４】
イヤホン側は、図６に示すように、変換ジャック１１４に差し込むリモートプラグ１１６を備え、信号線１１７を介在させてリモートコントロール装置１１８に接続され、更に、このリモートコントロール装置１１８にステ
レオプラグ１１９を差し込むようになっており、ステレオプラグ１１９は信号線１２１を介在させて左右のイヤホン１２２に接続されている。
【特許文献１】特開２００３−２０３７２８号公報（第２頁乃至３頁  第１図）
【発明の開示】
【発明が解決しようとする課題】
【０００５】
しかし、従来技術で説明した、変換ケーブルは、平型のプラグ（第１のコネクタ）と変換ジャック（第２のコネクタ）とをケーブルで接続した構造となっているために、使用時においては平型のプラグを装置の平型ジャックに差し込めばよいが、不使用時においてはその取り扱いが不便であるという問題がある。
【０００６】
従って、使用勝手が良く、且つ不使用時においても、その取り扱いが不便でない変換ケーブルに解決しなければならない課題を有する。
【課題を解決するための手段】
【０００７】
上記課題を解決するために、本願発明の変換ケーブルは、次に示す構成にしたことである。
【０００８】
（１）変換ケーブルは、一方側が第１のコネクタで、他方側が第２のコネクタで構成され、互いにケーブルで接続されている変換ケーブルであって、前記第１のコネクタ側に、前記第２のコネクタと前記ケーブルとを引き出し自在に収納するコネクタ収納手段を備えたことである。
（２）前記引き出し自在に収納されている前記ケーブルは、撓ませた状態で収納されていることを特徴とする（１）に記載の変換ケーブル。
【発明の効果】
【０００９】
本提案によれば、第１のコネクタ（平型のプラグ）側にケーブルも含めた第２のコネクタ（変換ジャック）を収納する構造としたことにより、不使用時においては一つのグッズとして取り扱うことが可能で、又、第２のコネクタ（変換ジャック）自体を第１のコネクタ（平型のプラグ）側に収納する構造としたことでコンパクト化を図ることができる。
【発明を実施するための最良の形態】
【００１０】
次に、本願発明に係る変換ケーブルの実施形態について、図面を参照して以下説明する。
【実施例１】
【００１１】
本願発明の変換ケーブルは、従来技術で説明したものと同様に、図１に示すように、携帯電話機、ＭＤプレーヤ、ＣＤプレーヤ、ＭＰ３プレーヤ等のポータブルオーディオ装置１１に装着されている１０極の平型ジャック１２に接続するものでイヤホン或いはヘッドホンが丸型のプラグ仕様である場合に、このプラグを変換ケーブル１３の変換ジャック１４（第２のコネクタ）に差し込み、他端の平型プラグ１５（第１のコネクタ）を平型ジャック１２に差し込むことにより、イヤホン或いはヘッドホンが丸型のプラグ仕様の構成であっても、この変換ケーブル１３を介在させることにより装置１１の平型ジャック１２に対応させることができる。
イヤホン側は変換ジャック１４（第２のコネクタ）に差し込む３．５ｍｍ径のリモートプラグ１６を備え、信号線１７を介在させてリモートコントロール装置１８に接続され、更に、このリモートコントロール装置１８にステレオプラグ１９を差し込むようになっており、ステレオプラグ１９は信号線２１を介在させて左右のイヤホン２２に接続されている。
【００１２】
変換ケーブル１３は、図２乃至図４に示すように、直方体形状に形成されたプラグ支持部２３に１０極の平型プラグ１５（第１のコネクタ）を取り付け、平型プラグ１５（第１のコネクタ）側のプラグ支持部２３に連設して３．５ｍｍ径の変換ジャック１４（第２のコネクタ）を収納するための略円筒形状に形成したコネクタ収納手段であるところのジャック収納部２４を備えている。ジャック収納部２４の後端部にはストラップを取付けるためのストラップ取付穴２５を設けた構成になっている。
【００１３】
コネクタ収納手段であるところのジャック収納部２４は、図４に示すように、変換ジャック１４（第２のコネクタ）を収納するための開口部２６を設け、この開口部２６の内側に変換ジャック１４（第２のコネクタ）を引き出し自在に収納して係合係止するためのジャック室２７を備え、ジャック室２７の奥行きに隔壁２８で仕切られて形成されたケーブル２９を撓ませて且つ引き出し自在に収納するためのケーブル室３１を備えている。
【００１４】
ジャック室２７には、変換ジャック１４（第２のコネクタ）の外周に設けたリング３２に軽係合する係止溝３３が設けられている。リング３２が係止溝３３に係合されている状態で、変換ジャック１４（第２のコネクタ）にこじり等が発生した場合でも、一定負荷でリング３２が係止溝３３から外れ、変換ジャック１４自体の損壊を未然に防止できるのである。
【００１５】
隔壁２８は、変換ジャック１４（第２のコネクタ）が挿入されたときにストッパとしての役目をするもので、ジャック室２７に設けた係止溝３２に変換ジャック１４（第２のコネクタ）のリング３２が係合したときに隔壁２８にて変換ジャック１４（第２のコネクタ）をストップさせる位置関係になっている。
【００１６】
撓ませたケーブル２９は、変換ジャック１４（第２のコネクタ）の端部に連結され、その長さはケーブル室３１に撓まされて収納されている長さが略１ターンの長さであり、変換ジャック１４（第２のコネクタ）をジャック室２７から引き出したときに開口部２６から若干抜け出た長さに形成されている。
このような長さのケーブル２９においては、変換ジャック１４（第２のコネクタ）をジャック室２７に収納したときには１ターンの長さであるため、所謂、絡まる不都合を回避でき、且つ変換ジャック１４（第２のコネクタ）をジャック室２７から抜き出したときには開口部２６から若干抜け出た長さであるために変換ジャック１４（第２のコネクタ）を抜き出した状態でケーブル２９が絡むことも回避できる。
【００１７】
ケーブル室３１は、変換ジャック１４（第２のコネクタ）に接続されているケーブル２９を撓ませて収容できる広さに形成され、底部にケーブル２９を挿通させるケーブルガイド穴３４を設けている。ケーブルガイド穴３４は、プラグ支持部２３を貫通し、平型プラグ１５（第１のコネクタ）の端子部に到達するようにあけられている。
【００１８】
以上のような構成からなる変換ケーブルにおいては、変換ジャック１４（第２のコネクタ）をジャック収納部２４に収納させた状態で、平型プラグ１５（第１のコネクタ）を装置１１の平型ジャック１２（図１参照）に差し込み、変換ジャック１４（第２のコネクタ）をリモートプラグ１６（図１参照）に差し込む。
このリモートプラグ１６に変換ジャック１４（第２のコネクタ）を差し込んだときに、所謂、こじりが発生してもジャック室２７に設けた係止溝３３に係合している変換ジャック１４のリング３２が外れるので変換ジャック１４自体の破壊に到らない。又、ケーブル２９は撓んだ状態で収納されているため、リモートプラグ１６を変換ジャック１４に挿抜することによって発生する繰り返し負荷によるケーブル２９の破断を防ぐことができる。
【００１９】
又、図５に示すように、変換ジャック１４（第２のコネクタ）をジャック収納部２４からケーブル２９を伴って引き出すことにより、変換ジャック１４（第２のコネクタ）を自由な方向に向けて、平型プラグ１５（第１のコネクタ）を装置１１の平型ジャック１２（図１参照）に差し込むようにしてもよい。
このように、変換ジャック１４をジャック収納部２４から引き出して使用するようにすると、平型プラグ１５（第１のコネクタ）を平型ジャック１２（図１参照）に差し込む際に、又は差し込んだ後に、変換ジャック１４（第２のコネクタ）にリモートプラグ１６（図１参照）を差し込むときに、直接平型プラグ１５（第１のコネクタ）へのこじり等の影響をなくすことができる。
【産業上の利用可能性】
【００２０】
平型のプラグ（第１のコネクタ）側にケーブルも含めた変換ジャック（第２のコネクタ）を収納する構造としたことにより、不使用時においては一つのグッズとして取り扱うことが可能で、又、変換ジャック（第２のコネクタ）自体を平型のプラグ（第１のコネクタ）側に収納する構造としたことでコンパクト化を図った変換ケーブルを提供する。
【図面の簡単な説明】
【００２１】
【図１】本願発明に係る変換ケーブルを利用したイヤホンと装置との接続形態を示す斜視図である。
【図２】同、変換ケーブルの斜視図である。
【図３】同、変換ケーブルの斜視図である。
【図４】同、変換ケーブルを構成するジャック収納部及びプラグ支持部を断面した斜視図である。
【図５】同、変換ジャックを抜き出した様子を示した斜視図である。
【図６】従来技術における変換ケーブルを利用したイヤホンと装置との接続形態を示す斜視図である。
【図７】従来技術における変換ケーブルの斜視図である。
【符号の説明】
【００２２】
１１      ポータブルオーディオ装置
１２      平型ジャック
１３      変換ケーブル
１４      変換ジャック（第２のコネクタ）
１５      平型プラグ（第１のコネクタ）
１６      リモートプラグ
１７      信号線
１８      リモートコントロール装置
１９      ステレオプラグ
２１      信号線
２２      イヤホン
２３      プラグ支持部
２４      ジャック収納部
２５      ストラップ取付用穴
２６      開口部
２７      ジャック室
２８      隔壁
２９      ケーブル
３１      ケーブル室
３２      リング
３３      係止溝。
【図１】
2008287915.tif 000003
【図２】
2008287915.tif 000004
【図３】
2008287915.tif 000005
【図４】
2008287915.tif 000006
【図５】
2008287915.tif 000007
【図６】
2008287915.tif 000008
【図７】
2008287915.tif 000009